(57)【特許請求の範囲】
【請求項１】
ベース上両端部に駆動源にて回動可能に支持された２本の平行する軸と、この対向する２軸間にしかも軸端に偏心軸受を介して蠕動するように対設した２組の搬送板群とよりなり、この両軸端間に掛け渡すように配設する搬送板群は夫々複数枚の搬送板を重ねて構成すると共に、前記各搬送板を夫々位相が一定量ずつずれるようにした偏心軸受にて支持した搬送装置において、前記２組の搬送板群を分けてベースの両側部に互いに対向して配設し、該対向する搬送板群を構成する搬送板の内側から順に夫々その偏心軸受の位相を等しくなるようし、各搬送板の上面には搬送物の下面を支持する複数の支持片を、内側の搬送板の支持片を搬送板の頂部をほぼ水平に外向きに折り曲げて、外側の搬送板の支持片を搬送板の頂部をほぼ水平に内向きに折り曲げて、かつ、夫々の支持片の突設位置の位相をずらして重なり合わないように形成したことを特徴とする搬送装置。
【請求項２】
搬送装置を直列状に複数を配列配置した請求項１記載の搬送装置。
【発明の詳細な説明】
【０００１】
【産業上の利用分野】
本発明は定形物の搬送において、搬送物に与える振動を抑制し、かつ摩擦抵抗を減じて搬送可能な搬送装置に関するものである。
【０００２】
【従来の技術】
定形物の搬送においては、一般にローラコンベア、ベルトコンベア等を用いている。これらの搬送手段は搬送物との接触による摩擦抵抗にて搬送手段の移送に応じて搬送するようにしている。
【０００３】
【発明が解決しようとする課題】
しかし従来の搬送手段では搬送物との間に生じる摩擦のため、搬送抵抗が大となり、また搬送手段にて発生する振動が直接搬送物に伝わり、搬送物を損傷する等の欠点がある。
【０００４】
本発明は摩擦力を必要とすることなく、安全に搬送物を搬送することを目的とする。
【０００５】
【課題を解決するための手段】
本発明は上記目的を達成するためになしたもので、ベース上両端部に駆動源にて回動可能に支持された２本の平行する軸と、この対向する２軸間にしかも軸端に偏心軸受を介して蠕動するように対設した２組の搬送板群とよりなり、この両軸端間に掛け渡すように配設する搬送板群は夫々複数枚の搬送板を重ねて構成すると共に、前記各搬送板を夫々位相が一定量ずつずれるようにした偏心軸受にて支持した搬送装置において、前記２組の搬送板群を分けてベースの両側部に互いに対向して配設し、該対向する搬送板群を構成する搬送板の内側から順に夫々その偏心軸受の位相を等しくなるようし、各搬送板の上面には搬送物の下面を支持する複数の支持片を、内側の搬送板の支持片を搬送板の頂部をほぼ水平に外向きに折り曲げて、外側の搬送板の支持片を搬送板の頂部をほぼ水平に内向きに折り曲げて、かつ、夫々の支持片の突設位置の位相をずらして重なり合わないように形成したことを特徴とする。
この場合において、搬送装置の複数を直列状に配列配置して長搬送路とすることができる。
【０００６】
【作  用】
間歇搬送する複数枚の重なった各搬送板を、夫々位相を一定量ずらして回転駆動される２本の軸間で、かつ軸端部にしかも位相を一定量ずつずれて蠕動するように偏心軸受を介して支持しているので、搬送物との接触を少なくすることができ、摩擦をも低減できると共に、同一構成のものを直列的に配列することにより搬送距離を自由に選定できるものとなる。
【０００７】
【実施例】
以下本発明の搬送装置を図面に示す実施例にもとづいて説明する。
図において１は搬送装置のベースで、これは構成する搬送装置の目的、搬送距離、搬送物の大きさ等により定めるものとし、長距離搬送時には、このベース１を直列的に２以上を配列配置することを可能とし、このように所定の大きさとしたベース１の上面で、その両端部位置に軸受２，２・・・を夫々取り付け、このベース一端部位置の左右の軸受２，２にて１本の軸３を回動自在に支持し、かつこのベース端部の２本の軸３，３を互いに平行にするように配設する。
【０００８】
この軸３，３はその両端がベース１の外側方へ突出する長さとし、この左右の軸受２，２間にてスプロケットホイール４を取り付け、このスプロケットホイール４とベース１上の任意位置に配設したモータ等の動力源５に設けたスプロケットホイール６との間にチェン７を張架し、動力源５の駆動にて対向する２本の軸３，３は同方向に、かつ同一速度にて回転駆動するようにする。なお両軸３及び動力源５に設けるスプロケットホイール４，６及びこれに張架するチェン７の代わりにプーリ及びベルトあるいはギヤ等の動力伝達手段とすることも可能で、この動力伝達手段は図示のものに限定されることはない。
【０００９】
またベース１の両側部には夫々２枚以上の複数枚を外側方向に重ねた搬送板群８，９を互いに対向して配設し、この搬送板群８，９即ち各搬送板８１，８２，８３及び９１，９２，９３の両端位置部に、偏心軸受１１，１２，１３を取り付け、この各偏心軸受１１，１２，１３に前記軸３の端部を挿通して軸３に回動自在に支持すると共に、この各搬送板８１，８２，８３及び９１，９２，９３の上面には搬送物の下面を支持して蠕動運動に伴って搬送物を移送するための支持片８ａ，８ｂ，８ｃ，９ａ，９ｂ，９ｃを夫々所定間隔毎に突設する。
【００１０】
各搬送板の上面に突設する支持片８ａ，８ｂ，８ｃ及び９ａ，９ｂ，９ｃは、すべて同じ形状とすることも、或いは異なる形状とすることも可能で基準高さ位置で同一の搬送板の支持片にて、定形の搬送物下面にほぼ同時に接触して支持するようにしてその形状、突設位置等を定めるものである。一枚の搬送物に設けるこの支持片の個数及び間隔は、搬送物が安定して搬送できるようにして定めるものであると共に、ベースの外側方向に重ねた各搬送板においても各搬送板の支持片の位置も夫々異なるようにして突設する。例えば、図示のように互いに重なった各搬送板の支持片は夫々互いに順次組み合わされるようにして配列配設されるものとする。しかし各搬送板にあっては各支持片の高さは等しくし、同一の搬送板の支持片で搬送物下面を支持できれば、その形状は一定でなくても良い。
【００１１】
偏心軸受１１，１２，１３はすべて同じ構成であるので、その一つに付いて説明する。偏心軸受１１は搬送板に固定する搬送箱１１ａに軸受外輪１１ｂを回動自在に支持し、この外輪１１ｂ内に軸３を嵌挿支持するが、この軸３の軸心と、外輪１１ｂの中心とを予め定めた量だけ偏心させて、外輪１１ｂに軸３を取り付ける。
【００１２】
そして各搬送板８１，８２，８３及び９１，９２，９３に設ける偏心軸受１１，１２，１３は夫々位相を予め定めた角度、ずらすようにする。例えば図示のように搬送板群を３枚一群とする場合、軸３の１回転にて１巡するよう偏心軸受１１，１２，１３は夫々１２０度ずつ位相を異にして搬送板に取り付けるもので、この軸の回動と偏心軸受の偏心量に応じて各搬送板は軸３を中心として順次蠕動運動を行うようにする。この各搬送板が順次蠕動をすることにより各搬送板の支持片頂面は順次予め定めた基準水平位置より上下しつつ軸３の軸心より前方へ移動し、この各搬送板の蠕動作用にて搬送物を搬送させる。
【００１３】
従って上述の如く構成する搬送装置において、以下その動作を説明する。
動力源５の駆動にて動力伝達機構を介して軸３，３を回動させると、この軸端に夫々偏心軸受１１，１２，１３を介して取り付けた搬送板が蠕動する。この場合、ベース１の両側に配設した搬送板のうち８１と９１、８２と９２、８３と９３は夫々偏心軸受の位相を等しくしているので、搬送物はまず搬送板８１、９１の支持片８ａ，９ａにて支持され、かつその蠕動にて支持片の１ストローク分だけ搬送され、支持片が定位置より降下する際、次位の搬送板８２、９２の蠕動にてこの搬送板８２，９２の支持片８ｂ，９ｂに搬送物は移載される。このように夫々位相がずれて蠕動する搬送板の支持片にて、搬送物は順次移載されて搬送されるものである。
【００１４】
なお各搬送板に突設する支持片８ａ，８ｂ，８ｃ・・・は、平板状の搬送板上面を所要間隔で突出させ、頂部をほぼ水平に折り曲げて搬送物下面を支持しやすくすると共に、全搬送板支持片の蠕動時、その最高位置が同じようにするものとする。
【００１５】
上記実施例では、搬送装置１台について説明しているが、このベース１の全長よりも長い工程を搬送する長距離搬送には、上述の如く構成した搬送装置を１ユニットとし、これを直列的に互いに隣接して直線上又は曲路線上に、複数台を配列配置して構成すれば良い。この複数台を配設する場合、各搬送装置の駆動速度を同期させれば１つのコンベアの如くして使用できる。また、搬送工程において搬送速度を変える必要があれば、所定工程区間の搬送装置の駆動速度を変えるものでよい。
【００１６】
【発明の効果】
請求項１記載の発明の搬送装置は、ベースの両側に対設した複数枚の搬送板を、夫々一定量位相をずらすようにした偏心軸受にて蠕動するようにしているため、順次蠕動する各搬送板にて搬送物を持ち上げ、一定量ずつ搬送して次に受け渡すので、摩擦を必要とせず、搬送物・装置の双方に摩耗を生じない利点がある。
また、搬送板の上面に複数突設する支持片を重なる各搬送板毎に夫々その突設位置の位相をずらして配設しているので、搬送物の搬送が連続して行える利点がある。
【００１７】
さらに、請求項２記載の発明においては、本装置を直列に配列することにより長い距離の搬送が可能となり、搬送長及び搬送経路を任意に選定できる利点がある。
【図面の簡単な説明】
【図１】  本発明の搬送装置の１実施例を示す外観斜視図である。
【図２】  偏心軸受の正面図である。
【図３】  位相のずれた各偏心軸受の作動説明図である。
【図４】  長距離搬送装置の説明図である。
【符号の説明】
１  ベース
３  軸
５  動力源
８  搬送板群
８１，８２，８３ 搬送板
８ａ，８ｂ，８ｃ  支持片
９  搬送板群
９１，９２，９３  搬送板
９ａ，９ｂ，９ｃ  支持片
１１  偏心軸受
１２  偏心軸受
１３  偏心軸受
【図１】
0003751071.tif 000002
【図２】
0003751071.tif 000003
【図３】
0003751071.tif 000004
【図４】
0003751071.tif 000005